(57)【要約】【課題】  針が下降したときに安定して動き、ルーパーとの位置誤差による目飛びの発生を防ぐことができるミシンを提供すること。【解決手段】  先端部で上糸ａを支持して上下動する針１と、下糸を支持して往復動し、針１が最下位置から上昇に転じた後で上糸ａと針１の間に差し込まれるルーパー２と、針１の一側に配置されて揺動する針ガイド３と、他側に配置されて揺動するループガイド４を有し、針ガイド３及びループガイド４の先端部は、ルーパー２が上糸ａと針１の間に差し込まれる直前に、針１の先端部を挟んで正しい位置に保持する。【選択図】          図１
2005253533.tif 000002
【特許請求の範囲】
【請求項１】
先端部で上糸を支持して上下動する針と、下糸を支持すると共に、前記針に接離する方向に往復動し、前記針が最下位置から上昇に転じた後に前記上糸と針との間に差し込まれるルーパーと、前記針の一側に配置されて、先端部が針に接離するよう揺動する針ガイドと、前記針の他側に配置されて、先端部が針に接離するよう揺動するループガイドとを有し、前記針ガイド及びループガイドの先端部は、前記ルーパーが前記上糸と針との間に差し込まれる直前に、前記針の先端部を挟んで正しい位置に保持することを特徴としたミシン。
【請求項２】
前記ルーパーとループガイドとが前記針を挟んで逆側に配置され、前記針ガイドの先端部が前記上糸よりも下方において前記針の先端部に接し、前記ループガイドの先端部が、前記針ガイドよりも僅かに上方の上糸配置位置において前記針に接する請求項１に記載されたミシン。
【発明の詳細な説明】
【技術分野】
【０００１】
本発明は、紙袋の袋口等を縫い閉じるのに好適なミシンに関する。
【背景技術】
【０００２】
紙袋の袋口はミシンで二重環縫等を行うことにより縫い閉じられる。このようなミシンは、上糸を支持する針と、下糸を支持するルーパーと、袋を送る送り金等の送り手段とを有する（特許文献１参照）。
二重環縫を行うには、袋口部を貫通して針が下降した時に、針と上糸との隙間にルーパーが差し込まれ、次いで針が上昇すると、ルーパーで掬われた上糸が環状に引っ張られると共に、環状の上糸と、この環の中を通った下糸との間に略三角形の隙間ができる。次に、針が下降して三角形の隙間に挿入され、ルーパーが引き抜かれる。これを繰り返すことにより、連続して二重環縫いされる。
また、針が上方へ引き抜かれている間に、送り金等が袋口を一目分送る。
【０００３】
このような袋口を縫うミシンでは、一目の長さが長いので、針は上下に移動すると共に、袋の送り方向と平行に移動し、針先は側方から見て略楕円形の軌道上を動く。このため、袋の移動によって針が影響を受け、針先の動きが不安定となってぶれやすい。
そして、針が下降したときに針先が振れて、ルーパーが針と上糸との隙間に挿入されないと、上糸が環状に引き出されず、掬い目飛びが発生する。
【０００４】
【特許文献１】特公昭４６−１１８９２号公報
【発明の開示】
【発明が解決しようとする課題】
【０００５】
本発明が解決しようとする課題は、針が下降したときに安定して動き、ルーパーとの位置誤差による目飛びの発生を防ぐことができるミシンを提供することにある。
【課題を解決するための手段】
【０００６】
本発明のミシンは、先端部で上糸を支持して上下動する針と、下糸を支持すると共に、前記針に接離する方向に往復動し、前記針が最下位置から上昇に転じた後に前記上糸と針との間に差し込まれるルーパーと、前記針の一側に配置されて、先端部が針に接離するよう揺動する針ガイドと、前記針の他側に配置されて、先端部が針に接離するよう揺動するループガイドとを有し、前記針ガイド及びループガイドの先端部は、前記ルーパーが前記上糸と針との間に差し込まれる直前に、前記針の先端部を挟んで正しい位置に保持する。
前記ルーパーとループガイドとを針を挟んで逆側に配置し、前記針ガイドの先端部が前記上糸よりも下方において前記針の先端部に接し、前記ループガイドの先端部が、前記針ガイドよりも僅かに上方の上糸配置位置において前記針に接しても良い。
【発明の効果】
【０００７】
請求項１に係る発明によれば、針の先端部が正しい位置に保持されて安定して移動するので、ルーパーに対する位置誤差がなくなって、ルーパーが確実に上糸と針との間に挿入され、ルーパーが上糸を掬えずに目飛びが発生するのを防ぐことが可能となる。
請求項２に係る発明によれば、ループガイドが上糸を押し出すので、ルーパー側で上糸が大きく膨らみ、この結果、いっそう確実にルーパーで上糸を掬うことができる。
【発明を実施するための最良の形態】
【０００８】
以下、本発明の実施例を図面に基づいて詳細に説明する。
図１及び図２に示すように、本発明のミシンは、上糸ａを支持する針１と、下糸ｂを支持するルーパー２と、針ガイド３と、ループガイド４とを有する。
針１の一側面先端寄りには抉り部５が形成され、抉り部５の僅かに下方に、抉り部５が形成された側面と他側面とに亘って針穴６が穿設される。即ち、針穴６に挿通された上糸ａは抉り部５に臨むことになる。
また、針１は上下動すると共に、被縫合物の送り方向と平行に移動し、針１の先端は図５に示すように楕円軌道上を動く。
【０００９】
ルーパー２は、図示しないルーパー台から張り出される揺動アームの先端に、針１と交差する方向に延びるよう設けられ、その長手方向両端部に下糸ｂが挿通される。また、ルーパー２は、針１が最下位置から上昇に転じた直後に、抉り部５の上側方に臨む位置に配置される。
さらに、ルーパー２は、針１と同調して、針１に接離するよう往復動し、針１が最下位置から上昇に転じた直後に、その先端部が抉り部５と上糸ａとの間に差し込まれるようになっている。
【００１０】
針ガイド３は、針１が下降した位置において、抉り部５を形成した側（ルーパー２側）に配置される。また、針ガイド３の基端部は図示しないカム等に連絡され、針１の上下動と同調して、先端部が針１に接離するよう揺動する。
そして、針１が最下位置から上昇に転じた直後に、針ガイド３の先端部が針１の先端部一側に接し、ルーパー２が針１の抉り部５と上糸ａとの間に差し込まれた後に、針ガイド３が針１から遠ざかる。
なお、針ガイド３の先端部は、上糸ａよりも下方において針１に接するようになっている。
【００１１】
ループガイド４は、針１が下降した位置において、針１を挟んでルーパー２及び針ガイド３と逆側に配置される。ループガイド４の基端部は図示しないカム等に連絡され、針ガイド３と同調して、先端部が針１に接離するよう揺動する。
また、ループガイド４の先端部は、針ガイド３の先端部と同時に、且つ、針ガイド３の先端部よりやや上方の上糸ａ配置位置において針１の先端部に接する。
さらに、ループガイド４の先端部は、針ガイド３と同時に針１から遠ざかる。
【００１２】
次に、針１、ルーパー２、針ガイド３及びループガイド４の動きを説明する。
図３の（イ）及び図４の（イ）に示すように、針１が最下位置（図５のイ）にある時、針ガイド３及びループガイド４の先端部は針１の先端部から離れているが、すでに接近を開始している。この時、ルーパー２は針１から最も遠ざかった最後退位置にある。
その後、針ガイド３及びループガイド４の先端部は針１に対して接近を継続すると共に、ルーパー２が針１に接近し、図３の（ロ）及び図４の（ロ）に示すように、針１が最下位置から上昇に転じた直後（図５のロ）、針ガイド３とループガイド４の先端部が針１の先端部を挟んで正しい位置に保持し、ルーパー２の先端が上糸ａと針１との間に進入し始める。
【００１３】
針１が上昇に転ずると、上糸ａが弛んで抉り部５の位置に上糸ａのループが形成されるが、針ガイド３の先端部は上糸ａより下方において針１の先端部に接し、ループガイド４の先端部は上糸ａ配置位置において針１に接するので、ループガイド４の先端部が上糸を抉り部５側へ押し出し、この結果、上糸ａのループが大きく膨らむ。
次いで、図３の（ハ）及び図４の（ハ）に示すように、針１は針ガイド３とループガイド４によって挟まれたまま僅かに上昇して（図５のハ）、ルーパー２の先端部が上糸ａと針１との間に差し込まれる。この時、針１の先端部が正しい位置に保持されると共に、上糸ａのループは大きく膨らんでいるので、ルーパー２は確実に上糸ａと針１との間に進入して、上糸ａを掬うことができる。
【００１４】
さらに、図３の（ニ）及び図４の（ニ）に示すように、針ガイド３及びループガイド４の先端部が針１から遠ざかり、針１が上昇して最上位置（図５のニ）に達するが、ルーパー２は上糸ａを掬った状態で最前位置に配置されている。
その後、図３の（ホ）及び図４の（ホ）に示すように、針１が下降して被縫合物を貫通し（図５のホ）、針１の先端部がルーパー２で支持された下糸ｂとルーパー２で掬った上糸ａとの隙間に挿入される。
次に、ルーパー２が後退して、ルーパー２で掬った上糸ａがルーパー２から外れ、縫い目が形成される。
【００１５】
以上の工程を繰り返すことにより、被縫合物が連続して縫合される。
なお、針ガイド３及びループガイド４の先端部が針１を挟む力は、針１の移動が制限されず、上糸ａが切れない程度の弱いものとする。
また、上記実施例では、被縫合物を挟んでルーパー２、針ガイド３及びループガイド４を設置した側を下とし、逆側を上としてあるが、被縫合物の左右両側に針とルーパー、針ガイド及びループガイドとを配置しても良い。
【図面の簡単な説明】
【００１６】
【図１】本発明の実施例を示すミシンの要部正面図。
【図２】針及びルーパーの斜視図。
【図３−ａ】針、ルーパー、針ガイド及びループガイドの動きを示す正面図。
【図３−ｂ】針、ルーパー、針ガイド及びループガイドの動きを示す正面図。
【図３−ｃ】針、ルーパー、針ガイド及びループガイドの動きを示す正面図。
【図４−ａ】針及びルーパーの動きを示す側面図。
【図４−ｂ】針及びルーパーの動きを示す側面図。
【図４−ｃ】針及びルーパーの動きを示す側面図。
【図５】針先の軌道を示す図。
【符号の説明】
【００１７】
１  針
２  ルーパー
３  針ガイド
４  ループガイド
５  抉り部
６  針穴
ａ  上糸
ｂ  下糸
【図１】
2005253533.tif 000003
【図２】
2005253533.tif 000004
【図３−ａ】
2005253533.tif 000005
【図３−ｂ】
2005253533.tif 000006
【図３−ｃ】
2005253533.tif 000007
【図４−ａ】
2005253533.tif 000008
【図４−ｂ】
2005253533.tif 000009
【図４−ｃ】
2005253533.tif 000010
【図５】
2005253533.tif 000011